(57)【要約】【課題】雨中・荒天時の野外、浴場、プールサイド、工事現場等に於ける読書、書類記録、写真撮影、携帯電話、各種小型機器・装置類の操作等を可能にする防水防汚作業用補助袋の提供。【解決手段】袋体１と、この袋体１の一辺に配した一つの三叉手袋２とで構成する。袋体１は透明なポリエチレンフィルムにより形成する。その上辺に開口部を形成し、これにプラスチックジッパー３を配する。三叉手袋２は、袋体１の下辺に、その手首より先の部分がその中に入っている状態に取り付ける。袋体１と同様のポリエチレンフィルムによって形成する。三叉手袋２の各指部の先端外面には多数の微小突起を形成して滑り止めとする。【選択図】  図１
2004300612.tif 000002
【特許請求の範囲】
【請求項１】
内部を透視可能な防水開閉手段を備えたプラスチックフィルム製の水密性袋体と、該水密性袋体にその内部に向けて水密状態に取り付けた三叉手袋であって、その指部を三本に形成した三叉手袋とで構成した防水防汚作業用補助袋。
【請求項２】
前記水密性袋体に二つの三叉手袋を取り付け、両手による作業を可能にした請求項１の防水防汚作業用補助袋。
【請求項３】
前記三叉手袋の各指部の先端部外面に滑り止めを形成した請求項１又は２の防水防汚作業用補助袋。
【請求項４】
前記三叉手袋の三本の指部を左右対称に構成し、この手袋に右手を挿入する場合は、左端の指部に親指を、中央の指部に人差し指と中指を、右端の指部に薬指と小指を、それぞれ挿入し得、かつ左手を挿入する場合は、その指を右手を挿入する場合と対称状態に挿入し得るように構成した請求項１、２又は３の防水防汚作業用補助袋。
【請求項５】
前記三叉手袋の装入端近傍に防水開閉手段を設けた請求項１、２、３又は４の防水防汚作業用補助袋。
【請求項６】
前記三叉手袋の内面又は外面に、手指温度以上で柔軟性を獲得し、かつ手指温度より低下すると、低下直前の形状を保持する形状記憶素材による皮膜を形成した請求項１、２、３、４又は５の防水防汚作業用補助袋。
【請求項７】
前記三叉手袋を、手指温度以上で柔軟性を獲得し、かつ手指温度より低下すると、低下直前の形状を保持する形状記憶素材で構成した請求項１、２、３、４又は５の防水防汚作業用補助袋。
【請求項８】
前記三叉手袋の両面又は一面に、その手首部から三叉状に分かれて各指部先端まで延びる形状記憶ゴムによる帯状の形状保持皮膜であって、手指温度以上で柔軟性を獲得し、かつ手指温度より低下すると、低下直前の形状を保持する形状記憶素材による帯状の形状保持皮膜を施した請求項１、２、３、４又は５の防水防汚作業用補助袋。
【請求項９】
前記三叉手袋を構成するフィルム中に、手指温度を下回ると柔軟性を獲得し、手指温度以上に上昇すると三叉手袋の標準形状に復帰する形状記憶合金による網状形状記憶素材を配した請求項１、２、３、４又は５の防水防汚作業用補助袋。
【発明の詳細な説明】
【０００１】
【発明の属する技術分野】
本発明は、汚れを被り易い種々の工事現場や、海水浴場、雨中その他の悪天候の野外、若しくは浴室等のように水滴、雨滴又は湯気等を被る可能性のある場所に於いて、紙片、書籍、カメラ、ビデオ、デジタルカメラ又は携帯電話等の防水を要する物品又は機器をこれに入れて容易に使用可能とする、或いは感染物等をそれに入れて安全に処理可能とする防水防汚作業用補助袋に関する。
【０００２】
【従来の技術】
日常の様々な場で、各種の機器や物品を操作する必要のある事態は多く存在する。例えば、雨中、或いは吹雪や台風等の荒天に於ける工事、避難行動又は救助作業等の諸活動に於いて、書類や光学機器又は携帯電話等を使用する必要のあることも多い。また、例えば、このような緊急事態のみならず、海水浴場、プールサイド、浴場等のように水滴、雨滴又は湯気を被る可能性のある場所に於いて、雑誌、書籍、ノート、カメラ、ビデオ、デジタルカメラ又は携帯電話等について、防水状態でページを捲り、メモを取り、或いはシャッターを切り、電源スイッチをオンオフし、又はテンキー等の操作を必要とする事態も多く存在する。更には種々の感染物等を安全に処理する必要のあることもある。
【０００３】
このような要望に応えるための用具としては、単にそれらの物品又は機器類を納めることのできる防水防汚能力を持った容器や袋であるだけでは足りず、その中に納めた物品又は機器類をその用途に従って操作し、或いは必要な処理方法で処理できるものでなければならない。そのためには、袋又は容器内に少なくとも片手を入れて自由に操作できるものでなければならない。
【０００４】
このような器具の一つとして、風呂、ジャグジーバス、プール又は海浜等で読書が可能となる「防水読書用袋体」（特許文献１）が提案されている。これは、透明ポリプロピレンフィルムのような透明プラスチックフィルム製袋体に防水チャック及び空気供給口栓を取り付け、更にこのプラスチックフィルム製袋体の両側に５本指を備えた手袋状の凹部を取り付けたものである。
【０００５】
この防水読書用袋体は、入浴時や海水浴等の際に読書をしたいと言う要望に応えようとする発想の点では優れたものと云うことができるが、使い勝手の点ではかなりの問題がある。例えば、海水浴場でこれを使用する場合は、通常、砂が付着した手指をその手袋状の凹部に装入することとなることは避け難いものと思われるが、そのような砂の付着した手を装入すれば、云うまでもなく、その中に砂が入り込むこととなる。また海水浴場では、むすびその他の食べ物を直接手で掴んで食べることも多く、食べ物で汚れた手を手袋状の凹部に装入し、その内部を食べ物で汚してしまうことがあることも想定せざるを得ない。更に、これ以外に、特別のことがなくても、手袋状の凹部の内部には使用者の皮脂や汚れが付着し易いと言うのも日常経験するところである。
【０００６】
この防水読書用袋体では、このようにその中が、入り込んだ砂や食べ物又は手指の皮脂で汚れるようなことがあっても、手袋状の凹部は５本指に形成されたものであり、これを表裏反転させることが難しいものであるため、その内部を洗浄し清潔に保つのが難しいものであるとも言わざるを得ない。
【０００７】
更には、当然ながら、手袋状の凹部は非透水性のプラスチック、ゴム又はビニールフィルム等で形成されるものであるため、海水浴等で濡れた手指をこれに装入しようとすると、なかなか困難であり、スムーズな装入ができない問題が生じることも容易に想定できることである。更には濡れた手指は装入した後、これを抜き取るのが困難なのも云うまでもない。
【０００８】
この特許文献１の防水読書用袋体は、特に手袋状の凹部について以上のような問題があり、海水浴や入浴の際の読書用の目的に限っても十分使い勝手が良いとは云えない。
【０００９】
またこの種の他の器具として、「密閉可能なジッパー付きの透明袋の端を手袋の形に変形し、かつこの手袋の部分を透明袋の内側に裏返し、その指先部分にゴムを貼り付けた書籍の防水保護袋」（特許文献２）も提案されている。
【００１０】
この書籍の防水保護袋に於いては、その中に進入する手袋の部分は、必ずしも５本指に構成する必要はなく、これより少なくても良い旨の説明もある。更に手袋及び指先の文言にも拘わらず、必ずしも指の形をしていなくても良い旨の説明もある。
【００１１】
しかしながら、特許文献１に関して述べたように、防水保護袋中の手袋の部分が５本指のそれの場合には、問題が多く使用に耐えないものであり、他方、その指部の数を減少させて、例えば、ミトンタイプの親指用の一本と人差し指から小指までの４本指用とからなる手袋に構成した場合は、親指の部分を除いては裏返しての洗浄が容易となる利点はあるが、防水保護袋に入れた書籍の頁を捲る操作が必ずしもうまく行かなくなる等の問題がある。更にはこのタイプの手袋の場合は右手用又は左手用に限定され、いずれの手でも自由に使用できるという訳にはいかなくなるものでもある。
【００１２】
またこの特許文献２の図２に示されたように、手袋が、三角形の本体の頂点及びその左隣に僅かに指部を突出させ、その部分にゴムを被覆したようなものである場合には、その指部以外の部分については表裏反転しての洗浄が容易であると思われるが、その指部の表裏反転はなかなか厄介である。更にはこのような手袋では、書籍の頁を捲る操作以外の、例えば、筆記具を握ってメモを取る等という操作は全く不可能である。
【００１３】
この特許文献２では、手袋の指の数及び形状について、先に述べたように、どのようにするのも自由であると理解されるような説明があるが、実際には、以上のように、指の数や形状の違いによって甚だしく使い勝手が異なることとなるものであり、この特許文献２では、これらについては十分な検討がなされず、その結果、そのことについての認識がないものと思われる。
【００１４】
この特許文献２の書籍の防水保護袋もその手袋の部分の構成は、先に述べた種々の事項及び特許文献１に関連して述べた問題点を十分に解決するには至っておらず、該防水袋中に先に述べた種々の物品又は機器を装入した場合に、これらをその用途に従って自由に操作することができないか、濡れた手の手袋への抜き差しが容易にできないか、左右いずれの手でも自由に装入することはできないか、表裏反転しての洗浄が容易でないか等の全部又は一部の問題点を解決し得ないものである。
【００１５】
【特許文献１】
実開平７−７５２号公報
【特許文献２】
実開平６−５３１６６号公報
【００１６】
【発明が解決しようとする課題】
本発明は、雨中等の悪天候の野外、浴場、プールサイド、海水浴場、工事現場等に於ける読書、書類記録、写真撮影、携帯電話等の操作、並びに、そのような場合に限らず、汚れた又は濡れた手で上記のような操作をその中に入れてすることを可能にし、若しくは感染物等をその中に入れて安全に処理することができる防水防汚作業用補助袋を提供することを課題とする。
【００１７】
【課題を解決するための手段】
本発明の１は、内部を透視可能な防水開閉手段を備えたプラスチックフィルム製の水密性袋体と、該水密性袋体にその内部に向けて水密状態に取り付けた三叉手袋であって、その指部を三本に形成した三叉手袋とで構成した防水防汚作業用補助袋である。
【００１８】
本発明の２は、本発明の１の防水防汚作業用補助袋に於いて、前記水密性袋体に二つの三叉手袋を取り付け、両手による作業を可能にしたものである。
【００１９】
本発明の３は、本発明の１又は２の防水防汚作業用補助袋に於いて、前記三叉手袋の各指部の先端部外面に滑り止めを形成したものである。
【００２０】
本発明の４は、本発明の１、２、又は３の防水防汚作業用補助袋に於いて、前記三叉手袋の三本の指部を左右対称に構成し、この手袋に右手を挿入する場合は、左端の指部に親指を、中央の指部に人差し指と中指を、右端の指部に薬指と小指を、それぞれ挿入し得、かつ左手を挿入する場合は、その指を右手を挿入する場合と対称状態に挿入し得るように構成したものである。
【００２１】
本発明の５は、本発明の１、２、３又は４の防水防汚作業用補助袋に於いて、前記三叉手袋の装入端近傍に防水開閉手段を設けたものである。
【００２２】
本発明の６は、本発明の１、２、３、４又は５の防水防汚作業用補助袋に於いて、前記三叉手袋の内面又は外面に、手指温度以上で柔軟性を獲得し、かつ手指温度より低下すると、低下直前の形状を保持する形状記憶素材による皮膜を形成したものである。
【００２３】
本発明の７は、本発明の１、２、３、４又は５の防水防汚作業用補助袋に於いて、前記三叉手袋を、手指温度以上で柔軟性を獲得し、かつ手指温度より低下すると、低下直前の形状を保持する形状記憶素材で構成したものである。
【００２４】
本発明の８は、本発明の１、２、３、４又は５の防水防汚作業用補助袋に於いて、前記三叉手袋の両面又は一面に、その手首部から三叉状に分かれて各指部先端まで延びる形状記憶ゴムによる帯状の形状保持皮膜であって、手指温度以上で柔軟性を獲得し、かつ手指温度より低下すると、低下直前の形状を保持する形状記憶素材による帯状の形状保持皮膜を施したものである。
【００２５】
本発明の９は、本発明の１、２、３、４又は５の防水防汚作業用補助袋に於いて、前記三叉手袋を構成するフィルム中に、手指温度を下回ると柔軟性を獲得し、手指温度以上に上昇すると三叉手袋の標準形状に復帰する形状記憶合金による網状形状記憶素材を配したものである。
【００２６】
【発明の実施形態】
本発明の防水防汚作業用補助袋は、水密性袋体と、その内部に向けて取り付けた三叉手袋とからなるものである。
【００２７】
前記水密性袋体は、この中に操作対象の物品又は機器類、若しくは感染物等を装入し、これを外部から見ながら操作又は処理することが可能なものである必要から、当然、内部が透視できる部材で形成されたものである必要がある。防水性を確保する観点、種々な形態のそれに対応させる観点及び折り畳んでコンパクトな状態での保管が可能であること等の観点から透明なフィルム製であることが必要である。
【００２８】
プラスチックフィルムとしては、ポリエチレン、ポリプロピレン等が適している。塩化ビニルフィルムも可能であるが廃棄時の環境への影響が懸念されるため避けるべきである。
【００２９】
前記水密性袋体は、防水開閉手段を備えている必要がある。この防水開閉手段は、この水密性袋体に操作対象の物品又は機器類を出し入れするための手段であり、それが可能であり、かつ閉じた状態で完全に水の進入等を阻止できるものであれば良い。以上の観点から、該防水開閉手段は、できるだけ広い開口径を獲得し得るように、例えば、この水密性袋体が、これを平面状に押し潰した状態で長方形又は正方形のような方形である場合には、その一辺全体を開口部とし得るプラスチックジッパー等を採用することができる。これは、一方のプラスチックの平行突条の間に他方の突条を嵌入させることにより水密性を保持する嵌入式のものであり、より確実な水密特性を保持するためにこれを二重式とすることも可能である。この防水開閉手段の防水能力は１ｍ以内の水深の水圧に耐えられる程度であれば概ね十分である。勿論、それより高い能力があることは好ましい。
【００３０】
また前記水密性袋体のサイズは、用途に応じた種々のサイズが有り得るが、新聞、書籍、その他の文書又はノート類を収納してそれらを読み取り、またはメモ、チェック、文章記入等を行うものでは、例えば、Ａ４サイズの文書等が収納できる程度のサイズが望ましい。デジタルカメラ、ハンドヘルドコンピュータ又は携帯電話等の電子機器類を収納して操作することを想定するものにあっては、それぞれに対応するサイズであれば良いことになる。もっともこれらについても、概ね、既述のＡ４サイズの文書等が収納できる程度のサイズのものを採用しても特に不都合ではない。形態は単なる封筒形でも良いが、用途によっては、側部及び／又は底部に適宜幅のマチを設けて内容積に余裕を持たせるように構成しても良い。
【００３１】
前記三叉手袋は、指が三本に分かれた手袋であり、この手袋は必ずしも透明である必要はないが、前記水密性袋体と概ね同質のプラスチックフィルム、例えば、ポリエチレン又はポリプロピレンフィルム等で構成するのが適当である。三叉手袋は概ね手首の部分で水密性袋体に取り付ける。この取り付け方は、云うまでもなく、水密性を持ったものとする。また三叉手袋は手首より前方の部分を該水密性袋体の内部に進入させた状態とする。
【００３２】
前記三叉手袋の指部は左右対称に形成するのが適当である。左右のいずれの手でも使用できるようにする趣旨である。該三叉手袋は、例えば、右手をこれに装入する場合は、左端の指部に親指を、中央の指部に人差し指と中指を、かつ右端の指部には薬指と小指を、それぞれ挿入し得、また左手を挿入する場合は、その指を右手を装入する場合と対称状態に挿入し得るように構成する。このように構成すると、自ずと、それぞれの指部はある程度の余裕を持ったものとなる。
【００３３】
前記三叉手袋は種々のサイズのそれを採用することができる。想定される使用者に応じてサイズを決定すればよい。例えば、子供から大人まで三種類程度のサイズを用意することとするのが適当である。
【００３４】
前記三叉手袋は、前記水密性袋体に片手で操作するために一つだけ取り付けるものとしても良いし、両手操作用に二つ取り付けることとしても良い。水密性袋体に収納して操作する対象の物品又は機器に応じて決定することができる。
【００３５】
また前記三叉手袋の各指部の先端部外面には滑り止めを形成するのが適当である。これによって文書の頁を捲り易くしたり、その他の物品又は機器類の操作をし易くすることができる。
【００３６】
更に前記三叉手袋の装入端近傍、即ち、手首部分に防水開閉手段を設けるのが適当である。防水開閉手段としては、前記水密性袋体の防水開閉手段の一つとして説明したプラスチックジッパーを採用することができる。これを採用すれば、不使用時にこの部位を閉じておくことにより、三叉手袋の内部に水や何らかの汚れが入るのを防止することができることとなる。
【００３７】
前記三叉手袋は、また、その内面又は外面に手指温度以上で柔軟性を獲得し、かつ手指温度より低下すると、低下直前の形状を保持する形状記憶素材による被膜を形成するか、或いはそれ自体を、手指温度以上で柔軟性を獲得し、かつ手指温度より低下すると、低下直前の形状を保持する形状記憶素材で構成するものとすることができる。
【００３８】
前記形状記憶素材としては、形状記憶機能を持ったゴム系又は樹脂系素材その他の素材を採用することができる。その形態としては、フィルム状、繊維状又はシート状、或いは網状その他が採用可能である。いずれにしても、手指温度以上の温度で柔軟性を獲得し、かつ手指温度より低下すると、低下直前の形状を保持する形状記憶素材であって、上記のような種々の形態のそれを自由に採用することができる。
【００３９】
前記手指温度は、使用時の環境条件によって、或いは個人差によって相当異なるものであるから、できるだけ低い温度に設定するのが適当である。こうして手指温度を設定すると、そこから手を抜いた場合に、手指温度以上で形成されていた手の挿入状態に於ける三叉手袋の形状が、手指の抜き取りと共に低下する手指温度より下の温度で、そのままその形状が保持されることとなり、再度、該三叉手袋に手を挿入する際に極めて容易にその挿入動作が行われ得ることとなる。また手指の挿入後は形状記憶素材が手指温度により柔軟性を確保し、挿入した手指の動きを自由なものとすることができるようになる訳である。
【００４０】
また更に前記三叉手袋の両面又は一面に、その手首部から三叉状に分かれて各指部先端まで延びる形状記憶ゴムによる帯状の形状保持皮膜であって、手指温度以上で柔軟性を獲得し、かつ手指温度より低下すると、低下直前の形状を保持する形状記憶素材による帯状の形状保持皮膜を施したものとすることができる。
【００４１】
この手指温度も先に説明したものと同様である。三叉手袋から手指を抜いた際に、これに伴う温度低下により、該三叉手袋の形状を手指挿入時の形状に固定保持し、次回の手指の挿入をし易くすると共に、挿入後は手指温度で三叉手袋を柔軟にして手指の動作を自由ならしめる趣旨である。またこの形状保持皮膜は、指部先端付近では、これが滑り止めとしても機能するものである。
【００４２】
更に加えて、前記三叉手袋を構成するフィルム中に、手指温度を下回ると柔軟性を獲得し、手指温度以上に上昇すると三叉手袋の標準形状に復帰する形状記憶合金、例えば、Ｔｉ−Ｎｉ系の合金による網状形状記憶素材を配したものとすることができる。
【００４３】
この手指温度も前記のそれと同様である。手指温度未満では三叉手袋は柔軟になり、外力によって弾力的に変形するが、これに手指を装入する場合は、これを掴んで体温で暖め、また使用状況若しくは設定手指温度によっては湯に漬けて暖める等によりその形状を標準形状に復帰させれば、その挿入を容易に行い得るようになる。また該三叉手袋は手指の装入後は、その形状が標準形状に復帰されていると云っても、網状形状記憶素材自体が弾力性を有するものであるため、手指の動作は十分自由に行い得られるものである。
【００４４】
従って本発明の防水防汚作業用補助袋によれば、その水密性袋体に防水開閉手段を通じて操作対象の物品又は機器を装入しておけば、該袋体は透明であって内部を透かして見ることができると共に、その内部に三叉手袋が進入状態に取り付けてあるので、必要に応じて、その物品又は機器の操作を自由に行うことができる。
【００４５】
この水密性袋体は、文字通り水密性であり、入浴中に浴槽内でそれらの物品又は機器を濡らすことなくその操作をすることができるし、海水浴で操作する手が濡れたり汚れたりしている場合でも、工事現場等で泥水等で手が汚れている場合でも、或いはこれらに限らず同様に手が濡れたり汚れたりしている場合の悉くの場合に、該水密性袋体内の物品又は機器を濡らしたり汚したりすることなく、それらの操作を行うことができる。
【００４６】
水密性袋体内の物品又は機器の操作は三叉手袋に装入した手で行うことができるものである。三叉手袋には、先に述べたように、例えば、右手を装入する場合は、その親指を左側の指部に挿入し、人差し指と中指を中央の指部に挿入し、かつ薬指と小指を右側の指部に挿入する。このような挿入の仕方をすると、水密性袋体内の物品又は機器の操作が非常に良好に行いうるものとなる。
【００４７】
例えば、水密性袋体内に装入してあるノートに、同様に装入してある筆記具、例えば、シャープペンシルを用いて文章を記入する場合は、筆記具を左側の指部に挿入した親指と中央の指部に挿入した人差し指及び中指とを用いて握り、殆どこのような手袋を使用していない場合と同様に筆記を行うことができる。
【００４８】
水密性袋体内に装入してある書物の頁を捲る場合は、やはり左側の指部に挿入してある親指と中央の指部に挿入してある人差し指を用いて、手袋を使用していない場合と同様にして、頁の捲り操作を行うことができる。このとき、人差し指と同じ中央の指部に挿入してある中指は人差し指に添えた状態となるが特に問題とはならない。
【００４９】
ハンドヘルドコンピュータや携帯電話等のキーボード操作は、概ね中央の指部に挿入してある人差し指で行うこととなる。人差し指と同じ中央の指部に中指も挿入されているが、この操作時に僅かに中指を後退状態にしておけば、全く問題なく該キーボード操作を良好に行うことができる。
【００５０】
このように三叉手袋によれば、水密性袋体内の物品や機器を極めて良好に操作することができる。親指用とその他の４本の指用との二つに分けられたミトンタイプの手袋では、繊細な操作性に欠ける点があり、水密性袋体内の物品等に対する操作を思うように行うことができないが、本発明の三叉手袋によれば、微妙な操作も五本指の手袋と殆ど変わらず良好に行うことができる。
【００５１】
しかもこのような三叉手袋は、左右のいずれの手をこれに装入して使用することも可能であり、しかもいずれの手でも全く同様に微妙な操作までを行うことができるものである。先端外周に滑り止めを形成しておけば操作対象の物品に対して滑りを生じることなく一層良好な操作を行うことができる。
またこの三叉手袋は、たとえ、手が濡れているような場合であっても、これへの手の装入及びこれからの手の抜き取りが非常に容易に行えるものである。これに対して５本指タイプの手袋は操作性は良いが、手が濡れているような場合には、これへの手の装入及びての抜き取りは極めて困難になってしまうものである。
【００５２】
他方で、この三叉手袋は、その内部が使用によって汚れたとしても、これを裏返して容易に洗浄することができるものである。５本指タイプの手袋の場合にはこれは極めて困難で、特に各指部に関しては殆ど不可能である。ミトンタイプの手袋は裏返しにするのは容易であるが、先に述べたように、これを用いての各種物品に対する操作性が極めて悪く採用不可である。
【００５３】
前記三叉手袋を、その内面又は外面に手指温度以上で柔軟性を獲得し、かつ手指温度より低下すると、低下直前の形状を保持する形状記憶素材による被膜を形成するか、或いはそれ自体を、手指温度以上で柔軟性を獲得し、かつ手指温度より低下すると、低下直前の形状を保持する形状記憶素材で構成するものとした場合は、三叉手袋から手を抜いた場合に、手指温度以上で形成されていた手の挿入状態の形状が、手指の抜き取りと共に低下する手指温度より下の温度で、そのまま保持され、再度、該三叉手袋に手を装入する際に極めて容易にその挿入動作が行われ得ることとなる。また手指の挿入後は形状記憶素材が手指温度により柔軟性を確保し、挿入した手指の動きを自由なものとすることができる。
【００５４】
また前記三叉手袋を、その両面又は一面に、その手首部から三叉状に分かれて各指部先端まで延びる形状記憶ゴムによる帯状の形状保持皮膜であって、手指温度以上で柔軟性を獲得し、かつ手指温度より低下すると、低下直前の形状を保持する形状記憶素材による帯状の形状保持皮膜を施したものとすることが可能であり、そのように構成した場合は、その三叉手袋から手指を抜いた際に、これに伴う温度低下により、該三叉手袋の形状を手指挿入時の形状に固定保持し、次回の手指の挿入をし易くすることができる。更に挿入後は手指温度で三叉手袋が柔軟になって手指の動作を自由ならしめることができる。またこの形状保持皮膜は、指部先端付近では、これが滑り止めとしても機能するものである。
【００５５】
更にまた前記三叉手袋を構成するフィルム中に、手指温度を下回ると柔軟性を獲得し、手指温度以上に上昇すると、三叉手袋の標準形状に復帰する形状記憶合金による網状形状記憶素材を配したものとすることが可能であり、このように構成した場合は、手指温度未満では三叉手袋は柔軟になって外力により弾力的に変形するが、これを手指その他の体温で暖め、或いは手近な何らかの手段で暖めて手指温度以上に上昇させれば、該三叉手袋はその標準形状に復帰することとなるため、手指の挿入は容易となる。また挿入した後は、三叉手袋の形状が標準形状に復帰していると云っても、網状形状記憶素材それ自体が弾力性を有するものであるため、手指の動作は十分自由に行い得られるものである。
【００５６】
更に前記三叉手袋の装入端近傍、即ち、手首部分に防水開閉手段を設けた場合には、その不使用時にこの部位を閉じておくことにより、三叉手袋の内部に水や何らかの汚れが入るのを防止することができる。
【００５７】
前記三叉手袋を水密性袋体に二つ構成した場合には、操作対象の物品又は機器によっては、両手での操作が可能となって好都合である。
【００５８】
【実施例】
以下、添付図を参照しつつ本発明の実施例について説明する。
【００５９】
＜実施例１＞
この実施例１の防水防汚作業用補助袋は、図１に示すように、袋体（水密性袋体）１と、この袋体１の一辺に配した一つの三叉手袋２とで構成したものである。
【００６０】
図１に示すように、前記袋体１は、透明なポリエチレンフィルムにより、Ａ４サイズのノートや書籍を収納することができるサイズの長方形の袋に構成する。その上辺に、該上辺（図１中上端）全体にわたった開口部を形成し、該開口部にはプラスチックジッパー（防水開閉手段）３を構成する。このプラスチックジッパー３は、開口部の対面する一方の全縁にわたって平行に配した二条のプラスチック突条と他方の前縁にわたって配した一乗のプラスチック突条とで構成し、上記一方の二条のプラスチック突条間に他方の一条のプラスチック突条を嵌入させることで、該開口部を閉じることができるようになっているものである。該プラスチック突条は重合度を高めて硬質にしたポリエチレンによって形成したものである。
【００６１】
前記三叉手袋２は、図１に示すように、前記袋体１の下辺（図１中下端）に、その手首より先の部分がその中に入っている状態になるように取り付けたものである。袋体１と同様のポリエチレンフィルムによって形成したものである。該袋体１の下辺に必要な開口を形成し、該袋体１に該開口を通じて上記状態になるように三叉手袋２を装入し、その手首部分を該開口に高周波ミシンによる溶着で水密状態に封止する。４は封止部である。勿論この部位の封止は接着剤による接着で実現しても良い。
【００６２】
前記三叉手袋２は、図１に示すように、左右対称に形成したものを採用し、左右のいずれの手であっても、またその手の表裏いずれの状態であっても、この袋体１を反転させることなく装入可能にしてある。各指部への指の挿入の仕方は、右手の場合、左端の指部には親指を、中央の指部には人差し指と中指を、右端の指部には薬指と小指を挿入するものである。そしてこれらが想定使用対象者によって余裕を持って挿入可能なサイズとする。このサイズとしては大・中・小の３タイプを構成した。
【００６３】
前記三叉手袋２の各指部の先端外面には多数の微小突起を形成して滑り止めとする。
また該三叉手袋２の手首部には前記袋体１のそれと同様のプラスチックジッパー（防水開閉手段）５を構成する。これによって該三叉手袋２を手首部で開閉しうるようにし、不使用時には水密状態に閉じておく趣旨である。
【００６４】
この実施例１の防水防汚作業用補助袋は以上のように構成したものであり、水に濡れたり、汚れ易い環境下で、汚れ又は濡れを避ける必要のある種々の物品又は機器の操作のために使用可能である。
【００６５】
ここでは入浴中に用いた二つの使用例、及び海水浴場や工事現場その他での携帯電話の使用例について説明する。
【００６６】
まず親が３〜４歳児と共に入浴中に市販の絵本等を読み聞かせる場合で、幼児とのスキンシップが図れて極めて有効な場合である。
この場合は、浴室に入る前に予め前記プラスチックジッパー３を開いて袋体１の中に対象の絵本等を入れておく。この場合、装入可能な絵本等は、袋体１がＡ４サイズのものを余裕を持って装入可能な程度のサイズなので、開いてその範囲に収まる程度のものである必要はある。装入した後は、当然、この中に水が侵入しないように、該プラスチックジッパー３はしっかりと閉じておく。
【００６７】
該絵本等の頁は、三叉手袋２中に右手又は左手を装入し、その指で捲ることができる。前記のように、この三叉手袋２は、三叉に構成されているものであるため、どちらの手でも装入可能である。また湯につかって濡れている手でも５本指の手袋と異なり、容易に装入できる。各指部への指の挿入の仕方は前記した通りである。
【００６８】
頁を捲る場合は、先に述べたように、親指と人差し指でこれを容易に行うことができる。中指も同じ中央の指部に入っているので人差し指に添えている状態になるが、若干余裕もあるため、僅かに後退した位置関係となって、頁を捲る操作に何らの不都合も生じさせない。
【００６９】
こうして、入浴中に、袋体１中の絵本等を濡らすことなく、該袋体１を構成するポリエチレンフィルムを透かして見ながら、読み聞かせ、幼児とのスキンシップを図ることができる。
【００７０】
また受験生が入浴中に英単語の学習をする場合、或いは学習用問題プリントを入浴中に解くような場合にも有効に使用することができる。
【００７１】
これらの場合には、浴室に入る前に、単語帳又は学習用問題プリント、下敷き及び鉛筆等を袋体１に入れておく。これらは、当然、プラスチックジッパー３を開けて入れ、入れた後はしっかりと閉じておく。
【００７２】
入浴中には、単語学習の場合は、通常、単語帳の頁を捲りながら順次各頁の単語を記憶して行くことになる。当然、単語帳は、袋体１により濡れから保護されつつ、頁は三叉手袋２に挿入した手で先に説明したようにして捲られることとなる。こうして入浴しながらリラックスした状態で単語学習を行うことが可能となる。
【００７３】
学習用問題プリントの学習もその頁の捲り方は、既に述べた通りであり、問題の解答の記入等は、三叉手袋２に装入した手で行うのは云うまでもない。このとき、鉛筆は、右手を三叉手袋２に装入したものとして説明すると、先に述べたように、左側の指部に挿入した親指と中央の指部に挿入した人差し指及び中指とを用いて握り、殆どこのような手袋を使用していない場合と同様に筆記を行うことができる。こうして入浴しながらリラックスした状態で学習用問題の解答を行うこともできるようになる。
【００７４】
また海水浴場や工事現場その他で、手が汚れたり濡れたりしている状態で携帯電話を扱わざるを得ない場合も有効に使用し得る。
この場合も、予め対象の携帯電話を袋体１に入れておく。これは、当然、プラスチックジッパー３を開けて入れ、入れた後はしっかりと閉じておく。こうして袋体１に入れた上で、ポケットやバッグ類等、通常、当該の使用者が携帯する仕方で携帯しておけば良い。
【００７５】
電話が入った場合は、そのまま袋体１の外部から又は三叉手袋２に手を装入した上で、必要なボタン操作をし、当該の携帯電話の用法に従って送受話を行うことができる。電話を切る場合のボタン操作も同様にして行うことができる。電話を自分から掛ける場合も相手方の電話番号の入力のためのキーボード操作が加わるだけでこの防水防汚作業用補助袋の操作としては概ね同様である。
【００７６】
またメールを送信する場合は、三叉手袋２に手を装入し、概ね中央の指部に挿入してある人差し指を用いて該携帯電話のキーボード操作を行い、これによってメールの送信を行うことができる。中指も人差し指と同じ中央の指部に挿入状態であるが、先に述べたように、これが邪魔になることはない。勿論親指でキーボード操作をすることも可能である。
【００７７】
以上のように、汚れたり濡れたりしている手を洗ったり拭いたりすることなく、直ちに携帯電話の操作を行っても、該携帯電話は袋体１に被覆され、三叉手袋２を介して操作を受けるので、これが汚れたり濡れたりすることはない。そのため無用に相手方を待たせることなく電話に出ることも可能となる。
【００７８】
従ってこの実施例の防水防汚作業用補助袋によれば、濡れやすい又は汚れやすい条件下で種々の物品又は器具を操作しても、これらを汚したり濡らしたりする虞がない。また袋体１内に進出状態に配してある三叉手袋２は、先に述べたように、濡れた手であっても、これへの手の装入が簡単であり、かつ手の抜き取り操作も簡単である。５本指の手袋の場合は濡れた手ではその抜き差しが困難になるのとは大いに異なるところである。
【００７９】
またこの三叉手袋２は、文字通り、三叉状態になっているので、先に述べたように、各種物品類の操作も５本指の手袋と殆ど変わらず良好に行い得られるものである。これがミトンタイプのそれとは大きく異なる点である。しかも５本指の手袋では容易に裏返しができず、その洗浄が困難であるのに対して、この三叉手袋２は簡単に裏返しをして洗浄することができるので、清潔に保持することができる。更にこの三叉手袋２は、不使用時にはプラスチックジッパー５で閉じておくことができるので、その中に水や何らかの汚れが進入するのを防止することができる。
【００８０】
＜実施例２＞
この実施例２の防水防汚作業用補助袋は、図２に示すように、袋体（水密性袋体）１１と、この袋体１１の一辺に配した二つの三叉手袋１２、１２とで構成したものである。
【００８１】
図２に示すように、前記袋体１１は、透明なポリエチレンフィルムで、Ａ４サイズのノートや書籍を収納することができる横長長方形の袋に構成する。その上辺に、該上辺（図２中上端）全体にわたった開口部を形成し、該開口部にはプラスチックジッパー（防水開閉手段）１３を構成する。このプラスチックジッパー１３は、実施例１のプラスチックジッパー３と同様の構成である。
【００８２】
前記三叉手袋１２、１２は、図２に示すように、前記袋体１１の下辺（図２中下端）に、その手首より先の部分がその中に入っている状態になるように、二つ並べて封止部１４、１４で取り付ける。手首部にはプラスチックジッパー１５が配してあり開閉自在となっている。そのサイズ、形状、材質及び取り付け方等全ての点で、実施例１の三叉手袋２と同様である。
【００８３】
前記三叉手袋１２は、従って、これへの手の装入の仕方も実施例１のそれと同様である。二つあるので、その各々に両手をそれぞれ装入することができる点が異なるのみである。
【００８４】
従って、この実施例２の防水防汚作業用補助袋によれば、実施例１で説明したのと同様な用例に用いることができるのは云うまでもないが、この実施例２では、袋体１１に二つの三叉手袋１２、１２を構成してあるので、特に両手で操作する必要のある用途、例えば、辞書のように薄い紙質のページを捲るような用途に特に適する。
【００８５】
このような辞書類を使用する場合は、袋体１１に収納する必要があるが、これへの入れ方は、前記プラスチックジッパー１３を開閉して行うものであり、実施例１で説明したのと全く同様である。
【００８６】
従ってこの実施例２の防水防汚作業用補助袋によれば、実施例１のそれと同様に、濡れやすい又は汚れやすい条件下で種々の物品又は器具を操作しても、これらを汚したり濡らしたりする虞がない。また袋体１１内に進出状態に配してある二つの三叉手袋１２、１２は、先に述べたように、濡れた手であっても、これへの手の装入が簡単であり、かつ手の抜き取り操作も簡単である。５本指の手袋の場合は濡れた手ではその抜き差しが困難になるのとは大いに異なるところである。
【００８７】
またこの三叉手袋１２、１２は、文字通り、三叉状態になっているので、先に述べたように、各種物品類の操作も５本指の手袋と殆ど変わらず良好に行い得られるものである。これがミトンタイプのそれとは大きく異なる点である。しかも５本指の手袋では容易に裏返しができず、その洗浄が困難であるのに対して、この三叉手袋１２、１２は簡単に裏返しをして洗浄することができるので、清潔に保持することができる。
【００８８】
＜実施例３＞
この実施例３の防水防汚作業用補助袋は、図３に示すように、袋体（水密性袋体）２１と、この袋体２１の一辺に配した一つの三叉手袋２２とで構成したものであり、実施例１の三叉手袋２と三叉手袋２２の構成が異なるのみである。従って三叉手袋２２にのみに絞って説明する。なお同図中、２３は袋体２１のプラスチックジッパー、２４は封止部、２５は三叉手袋２２のプラスチックジッパーである。
【００８９】
この三叉手袋２２は、その外面に手指温度以上で柔軟になり、手指温度を下回るとその直前の形状を保持する形状記憶繊維の皮膜をラミネートしたものである。この手指温度としては２７℃、３５℃及び４０℃を選定し、それらのガラス転移温度（Ｔｇ）を持つ三種の形状記憶繊維をラミネートした三種の三叉手袋２２を作成し、用途、地域又は季節によって使い分けられるようにした。
【００９０】
従ってこの三叉手袋２２の内、手指温度を２７℃に設定したものと３５℃に設定したものについては、その使用後に、これらから手を抜き、その温度が手指温度より低下すると、その直前の手指を装入していた際の形状に固定されることとなる。それ故、次に使用のために手指を装入する際には、極めて容易にそれが可能となる。また装入後は、手指温度への上昇によって、該三叉手袋２２に被覆してある形状記憶繊維が柔軟になり、自由な手指の動作が許容され、袋体２１内の種々の動作を自由に行うことができることとなる。この防水防汚作業用補助袋を入浴中に使用する場合等は、例えば、これを湯の中に入れれば、同様に、三叉手袋２２は、その湯の温度で柔軟になり、手指の操作は全く自由に行い得られ、非常に使い勝手の良いものとなる。
【００９１】
前記三叉手袋２２の内、手指温度を４０℃に設定したものについては、これに手指を装入した状態で、例えば、４０℃以上に加温してある湯に漬けてこれを柔軟にし、その後、手指を装入した状態のままで湯から出せば、いずれ４０℃以下に温度が低下し、その形状に固定されることとなる。それ故、その後の手指の出し入れは容易なものとなる。またこの三叉手袋２２に用いられた形状記憶繊維それ自体は、手指の動作を許容する程度の弾力性は有しており、袋体２１に入れた物品の操作には何の不都合も生じない。
【００９２】
＜実施例４＞
この実施例４の防水防汚作業用補助袋は、図４に示すように、袋体（水密性袋体）３１と、この袋体３１の一辺に配した一つの三叉手袋３２とで構成したものであり、実施例１の三叉手袋２と三叉手袋３２の構成が異なるのみである。従って三叉手袋３２にのみに絞って説明する。なお同図中、３３は袋体３１のプラスチックジッパー、３４は封止部、３５は三叉手袋３２のプラスチックジッパーである。
【００９３】
この三叉手袋３２は、図４に示すように、その両面に、その手首部から三叉状に分かれて各指部先端付近まで延びる形状記憶ゴムによる形状保持皮膜３６を施したものである。この形状記憶ゴムは、手指温度以上で柔軟になり、手指温度を下回ると、その直前の形状に固定される性質のものである。この手指温度も、実施例３の場合と同様に、２７℃、３５℃及び４０℃に設定した。
【００９４】
従ってこの三叉手袋３２の内、手指温度を２７℃に設定したものと３５℃に設定したものについては、実施例３の三叉手袋２２の同様の手指温度に設定したものと殆ど同様に、その使用後に、これから手を抜くと、すぐに手指温度より低下し、その直前の手指を装入していた時点の形状に固定されることとなり、そのため次に使用のために手を装入する際には、極めて容易にそれが可能となる。手指を装入すると、その手指温度により形状保持皮膜３６は柔軟になり、手指の自由な動作を許容することとなる。そのため非常に使い勝手の良いものとなる。
【００９５】
前記三叉手袋３２の内、手指温度を４０℃に設定したものについても、実施例３の手指温度を同温度に設定したものと同様に、これに手指を装入した状態で、例えば、４０℃以上に加温してある湯に漬けて、その形状記憶ゴムによる形状保持皮膜３６を柔軟にし、その後、手指を装入した状態のままで湯から出せば、いずれ４０℃以下に温度が低下し、その形状に固定されることとなる。それ故、その後の手指の出し入れは容易なものとなる。またこの三叉手袋３２に用いられた形状記憶ゴムによる形状保持被膜３６それ自体は、手指の動作を許容する十分な弾力性を有しており、袋体３１に入れた物品の操作に何の不都合も生じない。
【００９６】
更にこの形状保持皮膜３６は、いずれの手指温度に設定したものであれ、指部先端付近では、これが滑り止めとしても機能し、物品等の操作に好都合なものとなる。
【００９７】
＜実施例５＞
この実施例５の防水防汚作業用補助袋は、図５に示すように、袋体（水密性袋体）４１と、この袋体４１の一辺に配した一つの三叉手袋４２とで構成したものであり、実施例１の三叉手袋２と三叉手袋４２の構成が異なるのみである。従って三叉手袋４２のみに絞って説明する。なお同図中、４３は袋体４１のプラスチックジッパー、４４は封止部、４５は三叉手袋４２のプラスチックジッパーである。
【００９８】
この三叉手袋４２は、これを構成するプラスチックフィルム中に手指温度を下回ると柔軟になり、手指温度以上に上昇すると予め設定してある手袋標準形状に復帰する形状記憶合金網（網状形状記憶素材）を骨格状に配したものである。この形状記憶合金網としてはＮｉ−Ｔｉ系のそれの網体を採用し、これをプラスチックフィルム中に配した。この手指温度としては２７℃、３５℃及び４０℃を選定し、それぞれ対応する変態点を持つＮｉ−Ｔｉ系形状記憶合金の網体を配した三種類の三叉手袋４２を製作し、用途、地域又は季節によって使い分けられるようにした。
【００９９】
従ってこの三叉手袋４２の内、手指温度を２７℃又は３５℃に設定したものについては、その使用中には、いずれもその手指の温度により形状記憶合金網が手袋標準形状を維持するが、それ自体十分な弾力性を有するものであるため、手指の動作は問題なく自由に行い得られる。使用後に該三叉手袋４２から手指を抜くと、その温度が手指温度より低下することとなるため、該三叉手袋４２は柔軟になり外力が加われば弾力的に変形する。次に使用のために手指を装入する際には、該三叉手袋４２を手指その他の体温で暖め、若しくは手近な何らかの手段で暖めてこれを手袋標準形状に復帰させれば、極めて容易にその中に手指を装入できることとなる。手指の装入後については、先に述べたとおり、十分に自由な手指の動作が許容され、袋体４１内の種々の物品に対する操作等を自由に行うことができる。この防水防汚作業用補助袋を入浴中に使用する場合等は、例えば、これを湯の中に入れれば、同様に、三叉手袋４２は、その湯の温度で手袋標準形状に復帰させることができる。
【０１００】
この三叉手袋４２の内、その手指温度を４０℃に設定したものについては、通常は柔軟かつ弾力性を持った状態を保持している。これに手指を装入する場合は、予め４０℃以上に加温してある湯に漬け、これを手袋標準形状に復帰させる。こうしてこれへの手指の装入が容易なものとなる。その後は、いずれ手指温度より低下し柔軟かつ弾力的な状態に戻ることとなる。それ故、これは、４０℃以上の湯が利用できる入浴時等に使用するのに有効である。
【０１０１】
【発明の効果】
本発明の１の防水防汚作業補助袋体によれば、水滴・飛沫の存在下に於いても、読書、筆記、学習等ができることから、入浴中の趣味の読書、親から子供への読み聞かせ、受験生の暗記学習、プリント学習等が容易に行える。その他、プールサイド、海水浴場等での読書、工事現場、測量、船舶、港湾、空港、警察、消防、自衛隊、警備保障等のそれぞれの現場、医療現場、調理場、その他登山・ハイキング等に於ける書類への書き込み等が降雨、降雪又は暴風等の悪条件下でも安全に行える。
【０１０２】
また、厳しい環境下での携帯電話、カメラ類、その他電子機器の操作が安全に行える。特に携帯電話のディスプレイを利用するメール機能はなんら支障なく行われ、また通話についてもプラスチックフィルム越しとなるため若干条件は劣るものの、耳への押圧力を増しまたマイクを口元に近づけることにより実用上支障なく使用可能である。
【０１０３】
更に感染物又は汚染物、若しくは不明物品をこの中に入れて安全に処理することも可能となる。
【０１０４】
以上の各種物品等に対する操作又は処理は、三叉手袋を介して行うものとしたため、５本指の手袋を介して行う場合と殆ど変わらず、良好な操作性又は処理性を発揮することができる。他方、濡れた手でも、５本指の手袋のような手の抜き差しの困難さがなく、簡単に抜き差しできるものである。また５本指の手袋と異なり、裏返しが容易にできるため、その洗浄が容易になり、常に清潔に保つことができることとなる。
【０１０５】
本発明の２の防水防汚作業用補助袋によれば、両手でなければ容易に操作しにくいような物品の操作を良好に行うことができる。
【０１０６】
本発明の３の防水防汚作業用補助袋によれば、袋体内の物品に対する操作を滑りをなくして確実かつ容易に行えるようになるものである。
【０１０７】
本発明の４の防水防汚作業用補助袋によれば、左右の手のいずれであれ、かつ表裏いずれの状態であれ、袋体を反転させることなく、その三叉手袋に装入することが可能であり、濡れた手であっても、手の装入等がスピーディに行えるようになる。
【０１０８】
本発明の５の防水防汚作業用補助袋によれば、三叉手袋を、その装入端近傍で防水開閉手段により開閉できるので、不使用時にこれを閉じておくことにより、内部に水が進入したり、汚れが入ったりするのを防止し、清潔に保持することができる。
【０１０９】
本発明の６及び７の防水防汚作業用補助袋によれば、その三叉手袋は手指温度より低下した場合にその直前の形状を保持するので、手指の装入状態で手指温度以上に温度を上げた上で手指を抜けば、三叉手袋は手指装入状態の形状を保持する。そのため再度のこれへの装入が容易に行い得られ、装入後は手指の温度で該三叉手袋が手指温度以上になれば柔軟になるので、手指の動作が自由に行い得られ、使い勝手が向上する。手指温度以上にならなくても十分な弾力性を有しているので、手指の動作には支障を生じない。
【０１１０】
本発明の８の防水防汚作業用補助袋によれば、本発明の６及び７と同様に用いれば、その三叉手袋は形状保持皮膜の作用により手指を抜いた際の形状を保持するので、再度のこれへの装入が容易に行い得られ、装入後は該形状保持皮膜が手指の温度で設定手指温度以上になれば柔軟になるので、手指の動作が自由に行い得られ、使い勝手が向上する。また手指温度以上にならなくても該形状保持被膜は十分な弾力性を有しているので、手指の動作には支障を生じない。また指部の先端付近では該形状保持皮膜が滑り止めとなって水密性袋体に入れた物品等の操作又は処理がしやすくなるものである。
【０１１１】
本発明の９の防水防汚作業用補助袋によれば、その三叉手袋は、手指温度より低下すると柔軟かつ弾力的になって手袋形状を維持し難いが、これへの手指の装入の際には、予め手指等により又は体温を越える設定手指温度の場合は必要なだけ加温してある湯等により暖めることで、該三叉手袋を手袋標準形状に復帰させ、手指の装入を容易にできるようにすることができる。また手指を装入した後は、設定手指温度が体温以下であれば、該三叉手袋は標準形状を維持するが、形状記憶合金による網状形状記憶素材はそれ自体十分な弾力性を有しているので、手指の動作には支障を生じない。また設定手指温度が体温を越えている場合は、網状形状記憶素材は柔軟かつ弾力的になって手袋標準形状を維持せず、手指は全く自由に動作し得ることとなる。そのため十分良好な使い勝手を確保することができる。
【図面の簡単な説明】
【図１】実施例１の防水防汚作業用補助袋を示す概略正面図。
【図２】実施例２の防水防汚作業用補助袋を示す概略正面図。
【図３】実施例３の防水防汚作業用補助袋を示す概略正面図。
【図４】実施例４の防水防汚作業用補助袋を示す概略正面図。
【図５】実施例５の防水防汚作業用補助袋を示す概略正面図。
【符号の説明】
１、１１、２１、３１、４１  袋体
２、１２、２２、３２、４２  三叉手袋
３、１３、２３、３３、４３  袋体のプラスチックジッパー
４、１４、２４、３４、４４  封止部
５、１５、２５、３５、４５  三叉手袋のプラスチックジッパー
３６  形状保持皮膜
【図１】
2004300612.tif 000003
【図２】
2004300612.tif 000004
【図３】
2004300612.tif 000005
【図４】
2004300612.tif 000006
【図５】
2004300612.tif 000007